【事件の表示】
　平成　４年特許願第　６５９３４号「双方向ＣＡＴＶ伝送方式」拒絶査定に対する審判事件［平成　５年１０月１５日出願公開、特開平　５−２６８６０５］について、次のとおり審決する。
【結　論】
　本件審判の請求は、成り立たない。
【理　由】
第１　【手続きの経緯、本願発明】
　本願は、平成４年３月２４日の出願であって、平成１０年６月２２日付けの手続補正書により補正された明細書及び図面の記載からみて、その特許請求の範囲の請求項１に係る発明（以下「本願発明」という。）は、次のとおりのものである。
「【請求項１】　双方向ＣＡＴＶシステムにおいて、伝送信号を中継・分配する中継増幅器の分配出力と端末間の双方向伝送を下り周波数帯域である高群周波数帯域のみで行なう手段を有し、前記中継増幅器と端末間の上り方向伝送を、センタから送出される下り信号に用いていない下り周波数を選定して行ない、前記中継増幅器は、分配端子において、下り出力は端末へ通常の伝送を行ない、上り入力は、端末より出力された高群周波数帯域信号であり、該信号は分配出力の上り／下りの共通部に設けられた高域通過フィルタを介して方向性分波器で分波され、該方向性分波器と後記ダウンコンバータとの間に設けられた帯域通過フィルタで抽出され、上り周波数帯域信号へ周波数変換するダウンコンバータを介して上り増幅部へ入力され、上り出力端子よりセンタに向けて出力されることを特徴とする双方向ＣＡＴＶ伝送方式。」
　　　　　　　　　　　　　
第２　【引用例】
　１　これに対して、原査定の拒絶の理由に引用された特開昭６０−１７１８８４号公報（以下「引用例１」という。）には、「双方向ＣＡＴＶシステムの信号伝送方式」（発明の名称）に関し、図面と共に次の（１）及び（２）のとおりの記載がある。
　（１）「（１）双方向ＣＡＴＶシステムにおける加入者宅からの上り信号として下り伝送帯域内の空チャンネルの周波数帯を使用し、この上り信号を幹線系の上り伝送帯域の周波数に周波数変換してから幹線系に結合するようにしたことを特徴とする双方向ＣＡＴＶシステムの信号伝送方式。」（特許請求の範囲第１項）
　（２）「そのため本発明では、加入社宅内のように妨害波対策の施しにくい箇所における上り信号の周波数帯として、妨害波の影響を受けにくい下り信号の周波数帯の空きチャンネルを利用することにより上り信号に対する妨害波の影響が少なくなるようにしたものである。
　以下本発明を図面に基づいて詳細に説明する。第１図は本発明の方式を取入れた双方向ＣＡＴＶシステムのブロック図である。第１図において幹線Ａから送られてくる下り信号は幹線分岐増幅器Ｂの分波器m、下り幹線アンプｋ、下り分岐アンプｄ、ノッチフィルタｆ、方向性結合器ｇを介して分配タップｉへ入力され、そこから各加入者ｊへ分配される。
　一方加入者ｊから分配タップｉには、下り信号の周波数帯の空きチャンネルであるｎチャンネルの周波数帯が使用された上り信号を伝送し、この上り信号を方向性結合器ｇ、上り分岐アンプｈ、バンドパスフィルタｅを介して周波数コンバータｃに入れ、この周波数コンバータにより上り信号を１０MHｚ〜５０ＭＨｚの現行の上り信号の周波数帯に変換し、その後に上り幹線アンプｌに入力するようにしたものである。」（公報２頁左上欄７行ないし右上欄９行）
　２　同じく引用された実願昭６０−１５７０９９号（実開昭６２−６６４８４号）のマイクロフィルム（以下「引用例２」という。）には、「フィルタ付き屋内分配器」（発明の名称）に関し、図面と共に次の（１）及び（２）のとおりの記載がある。
　（１）「第１図は本考案のフィルタ付き屋内分配器の実施例の回路図を示す。図において、１０は本考案のフィルタ付き分配器で、分配器１２のセンタ一側に７６ＭＨｚ以上の周波数の信号のみを通過させる高域濾波器１１を備えている。ＣＡＴＶ伝送路６より入力した下り信号２１は、フィルタ付き分配器１０の入力端５に入力した後、高域濾波器１１を経て分配器１２に入力し、ここで４分配されて各端子１，２ ，３ ，４より各端末ＴＶ１，ＴＶ２，ＴＶ３，ＦＭに分配される。」（明細書４頁１７行ないし５頁６行）
　（２）「ＴＶ２、ＴＶ３，ＦＭの各分配端末から発生する３０〜５０ＭＨｚの周波数を含む雑音は、高域濾波器１１により阻止されてセンターに到達することがない。」（明細書５頁１８行ないし６頁２行）
　　　　　　　　　　　　　　　　　　　
第３　【当審の判断】
　１　［対比］
　本願発明と引用例１に記載の発明とを対比すると、引用例１には、双方向ＣＡＴＶシステムにおける加入者宅からの上り信号として下り伝送帯域内の空チャンネルの周波数帯を使用し、この上り信号を幹線系の上り伝送帯域の周波数に周波数変換してから幹線系に結合するようにした双方向ＣＡＴＶシステムの信号伝送方式が記載されており（引用例１の上記（１）の記載参照）、また第１図の説明として、幹線Ａから送られてくる下り信号は幹線分岐増幅器Ｂの分波器m、下り幹線アンプｋ、下り分岐アンプｄ、ノッチフィルタｆ、方向性結合器ｇを介して分配タップｉへ入力され、そこから各加入者ｊへ分配され、一方加入者ｊから分配タップｉには、下り信号の周波数帯の空きチャンネルであるｎチャンネルの周波数帯が使用された上り信号を伝送し、この上り信号を方向性結合器ｇ、上り分岐アンプｈ、バンドパスフィルタｅを介して周波数コンバータｃに入れ、この周波数コンバータにより上り信号を１０MHｚ〜５０ＭＨｚの現行の上り信号の周波数帯に変換し、その後に上り幹線アンプｌに入力することが記載されており（引用例１の上記（２）の記載参照）、これらに記載の「幹線分岐増幅器Ｂ」、「方向性結合器ｇ」、「周波数コンバータｃ」、「バンドパスフィルタｅ」及び「上り幹線アンプｌ」が、それぞれ本願発明の「中継増幅器」、「方向性分波器」、「ダウンコンバータ」、「帯域通過フィルタ」及び「上り増幅部」に相当することは明らかであり、引用例１に記載の発明も、本願発明と同様の「双方向ＣＡＴＶ伝送方式」を対象として、本願発明でいう「伝送信号を中継・分配する中継増幅器の分配出力と端末間の双方向伝送を下り周波数帯域である高群周波数帯域のみで行なう手段」を有し、また「前記中継増幅器と端末間の上り方向伝送を、センタから送出される下り信号に用いていない下り周波数を選定して行ない」、「上り入力は、端末より出力された高群周波数帯域信号であり」、「該信号は」「方向性分波器で分波され、該方向性分波器と後記ダウンコンバータとの間に設けられた帯域通過フィルタで抽出され、上り周波数帯域信号へ周波数変換するダウンコンバータを介して上り増幅部へ入力され、上り出力端子よりセンタに向けて出力される」構成を有するものといえる。
　２　［一致点］
　以上の点を踏まえると、両発明は、
「双方向ＣＡＴＶシステムにおいて、伝送信号を中継・分配する中継増幅器の分配出力と端末間の双方向伝送を下り周波数帯域である高群周波数帯域のみで行なう手段を有し、前記中継増幅器と端末間の上り方向伝送を、センタから送出される下り信号に用いていない下り周波数を選定して行ない、前記中継増幅器は、分配端子において、下り出力は端末へ通常の伝送を行ない、上り入力は、端末より出力された高群周波数帯域信号であり、該信号は方向性分波器で分波され、該方向性分波器と後記ダウンコンバータとの間に設けられた帯域通過フィルタで抽出され、上り周波数帯域信号へ周波数変換するダウンコンバータを介して上り増幅部へ入力され、上り出力端子よりセンタに向けて出力されることを特徴とする双方向ＣＡＴＶ伝送方式。」である点で一致し、次の点で相違する。　　　　　　　　　　　　　　　　　　
　３　［相違点］
　端末より出力された高群周波数帯域信号が、本願発明では、「分配出力の上り／下りの共通部に設けられた高域通過フィルタを介して」方向性分波器で分波されているのに対して、引用例１には、そのことが記載されていない点。　　　　　　　　　　　
　４　［相違点の検討］
　そこで、上記相違点について検討する。
　双方向ＣＡＴＶ伝送方式において、分配器のセンター側に高域濾波器を設け、加入者端末からの低域周波数を阻止しＣＡＴＶ伝送路への雑音などの混入を防止することは引用例２にも示されているように周知事項であり（引用例２の上記（１）、（２）の記載参照）、また引用例１記載の双方向ＣＡＴＶ伝送方式における幹線分岐増幅器の分岐出力と、その分岐出力のセンター側の方向性結合器ｇとの間に上り／下りの共通部が存在することは第１図の図示態様からみて明らかなことといえるから、引用例１記載の双方向ＣＡＴＶ伝送方式において、その幹線分岐増幅器（中継増幅器）の分岐出力（分配出力）のセンター側の上り／下りの共通部に、上記周知のような高域濾波器を設け、ＣＡＴＶ伝送路への不要波成分の混入を防止する程度のことは当業者が必要に応じて適宜になし得ることといえる。すなわち本願発明のように、端末より出力された高群周波数帯域信号が、「分配出力の上り／下りの共通部に設けられた高域通過フィルタを介して」方向性分波器で分波されるようになす程度のことは当業者が必要に応じて適宜になし得ることといえる。
　そして、本願発明の構成に基づく効果についてみても格別顕著なものがあるとはいえない。　　　　　　　　　　　　　　　
　　　　　　　　　　　　　　　　　　　　　
第４　【むすび】
　以上、本願発明は、引用例１及び２に記載の発明に基づいて当業者が容易に発明をすることができたものであるから、特許法第２９条第２項の規定により特許を受けることができない。
　よって、結論のとおり審決する。